Podtech/llm-jp-corpus-v4-ja_patent huggingface dataset:
(57)【要約】      （修正有）【課題】専門書や書画骨董などの整理整頓や保存管理をする。書籍や書画骨董などの価値を認識する。使用後の専門書や書画骨董を再利用活用する。【解決手段】個人及び会社団体法人所有の書類書画骨董衣類などの管理用データ書込項目書式とオークションようデータ書込項目書式を組み合わせたファイル構造のソフトウェアＣＤの製作販売と在庫管理ＰＣ管理事務代行業システム。【選択図】図１
2007200256.tif 000002
【特許請求の範囲】
【請求項１】
個人及び会社団体法人所有の書類書画骨董衣類などの管理用データ書込項目書式とオークション用データ書込項目書式を組み合わせたファイル構造のソフトウェアＣＤの制作販売と在庫管理ＰＣ管理事務代行業システム。
【請求項２】
請求項１の管理事業会社をリゾート地または近隣地、その温泉旅館やホテル、保健や医療施設などと提携又は共同で、専業または既存の事業と兼業で設立運営するシステム組織。
【請求項３】
請求項１の営業活動を観光案内旅館ホテル案内斡旋業者とも提携し、オークションデータを活用しインターネットオークションや、旅館ホテルを会場とした現物オークション展示会による、文化財の活用と保存継承に関する営業システムと管理ソフトウェアＣＤの販売。
【発明の詳細な説明】
【技術分野】
【０００１】  本発明は、個人所有及び会社団体法事の書画骨董書類などの管理を、パソコンで行うためのファイル構造のソフトウェアＣＤに関するものです。
書画骨董などをパソコンで行う管理データファイル構造と、使用後の不要の書画骨董などをインターネットオークシヨンができる、データファイル構造の管理システムで、このソフトウエアＣＤ一枚で管理と活用、オークシヨンかできるシステムです。
【背景技術】
【０００２】  従来、特にパソコンに詳しい学者と呼ばれる人でも、自己所有の書籍の目録でさえ作成していないものです。
もし作られていたとしても「書籍目録帳」の範囲のものでしょう。本発明の「書画骨董などの管理」を目的とした専用のパソコン用ファイル構造も、オークション用データファイル構造もありません。
ましてや、インターネットによる自己オークションにより、不要になった書画を換金するなど、考えも付かなかったことです。
【発明が解決しようとする課題】
【０００３】  従来の技術で述べましたが、情報化がすすみ新しい書籍が多種出版されので、管理まで手か届いていません。第一の課題は、専門書や書画骨董などの未整理放置状態の解消方の課題です。第二は、所有している専門書や書画骨董の、価値が認識されていないこと。第三は、使用後の専門書や書画骨董の再利用活用に関する意識が希薄で方ゴミ同然に扱かわれ廃棄されている課題です。
【課題を解決するための手段】
【０００４】  上記の第一の課題は、管理を容易にする「目録帳」などが無かったこと、本発明の専門書や書画骨董などを管理するパソコン管理ソフトＣＤを制作します。パターン化した項目ランに、書き込むだけで容易に「管理データ一覧表」が完成できます。
【０００５】  第二の課題は、不要になった専門書や書画骨董などの価値、価格を認知することか必要で、それには換金がを前提にした「オークション」用データが、購入時に容易に登録できるファイル構造のソフトＣＤを製作し課題を解決しています。
【０００６】  第三の課題は、廃棄処理方法の改革です。一般の残物やゴミ同然の処理方法を全面的に改め、他人の活用を第一としインターネット「オークション」、現物展示オークションを行います。その後で廃棄処理を行うシステムにしました。
本発明のソフトは、整理整頓保存と在庫管理、活用方法と換金の方法＝ＰＣ在庫管理とオークション管理をシステム化し、環境保護の面からも課題を解決しています。
【発明を実施するための最良の形態】
【０００７】    発明の実施の形態について、図面を参照して説明します。
図１は、書画骨董などの管理代行事業システム図で、特に立地・提携業種の・兼業専業を一例とした説明見取り図です
▲１▼清掃整理作業代行。は．所有者の自宅や学校などにも出張し代行します。
▲２▼ＰＣ管理事務代行。は．在庫管理や在庫物の内容管理などの、ＰＣデータファイルの制作。入庫出庫の記録などのＰＣ業務を代行します。
▲３▼保存管理代行。の保管庫は、リゾート地に設備またはホテルの敷地内の保管庫です。必要時に即時出庫がでる管理をします。
▲４▼貸し倉庫。は、必要とする大きさのスペースだけを賃貸しします。
▲５▼データの送信と配達。は、所有者が必要な時…ＦＡＸ．などで送信、または現物が必要になったとき、郵送や直接お届けします。
▲６▼ネットオークション。は．預託管理物が不要になったとき。売却や賃貸ししたいときインターネットのＰＣ管理代行、販売事務の代行をします。
▲７▼展示オークション。は．提携保管所の旅館・ホテルを会場として、効果的に実施します。
▲８▼廃棄処理。は、▲６▼と▲７▼によっても活用の道が無かった、不要物のみを廃棄処理します。
図２は、書画骨董管理代行事業会社の．組織活動を効果的に行う為の「提携・共同組織システム」の説明見取り図です
2007200256.tif 000003
提携・共同契約実施。
図３は、書画骨董管理代行事業会社の．営業種目と活動システムの説明見取り図です
2007200256.tif 000004
講演会などの、継続・固定客が確保できる利点がある。
【考案の効果】
【０００８】    本発明は上述の通りです。
【０００９】  本発明は、書籍・書画骨董衣類など文化品の保存管理の問題にパソコンを活用して、ＣＤ一枚で目録閲覧ができ、いま必要とする書籍の検索ができ、さらにそのデータや書籍が手元に必要時に届くシステムの管理代行事業の発明です。
この「書画骨董管理代行業」の保管倉庫場所を、リゾート地またはその隣接地の温泉旅館やホテルなどと共同経営組織体とし、立地と旅館業を活用した営業を展開します。
なお保管場所が遠隔地であっても必要データは、「ＰＣソフト」で検索しＦＡＸで送信、現物必要時は郵便または直接お届けできます。
保管書籍や資料を使用して、温泉ホテルで研究会や展示会、鑑賞会などができます。また、不要になった保管書籍などは、インターネットオークション、または現物展示によるオークションが、温泉ホテルを会場として開催できます。
自宅保管で放置しておくと、購入者が死亡した時などせっかく手に入れた文化財が粗大ゴミとして処理されてしまいます。文化財保護環境保護の点からも大きな効果が上げられます。
【図面の簡単な説明】
【００１０】
【図１】は、書画骨董などの物流管理代行事業システム図で、立地条件、提携・共同業種の条件、兼業専業を一例とした説明見取り図です
【図２】は、書画骨董管理代行事業会社の．組織活動を効果的に行う為の「提携・共同組織システム」の説明見取り図です
【図３】は、書画骨董管理代行事業の兼業専業会社の．営業種目と活動システムの説明見取り図です。
【符号の説明】
図１のは▲１▼から▲８▼のシステムの主項目名を表す符号。
2007200256.tif 000005
【図１】
2007200256.tif 000006
【図２】
2007200256.tif 000007
【図３】
2007200256.tif 000008
(57)【要約】【課題】  ドアを閉じる際に、ドアの蝶番部にできるＶ字の隙間に指がはさまれるのを防ぐドアの安全フイルム装置。【解決手段】  １ｍほどのフイルムをドア枠部分に両面テープとビス、プラスチック製の薄いプレート板で簡単に固定する。フイルムは透明やドアの色に近い色、又は危険を喚起するような色で、軽く内側に丸くなったものを用いる。フィルム自体は少し固めなので、指が入るということはなく安全である。【選択図】図１
2007247231.tif 000002
【特許請求の範囲】
【請求項１】
ドアが閉まるときに、ドアとドア枠の間にできるＶ字の隙間に乳幼児が指をはさまれてけがをしないようにすることを目的にした安全フイルムである。
【発明の詳細な説明】
【技術分野】
【０００１】
本発明は、ドアとドア枠の間のＶ字の隙間に指がはさまれないように工夫したけが防止フイルムに関するものである。
【背景技術】
【０００２】
従来のドアには、指をはさまれないようにする器具や装置は見あたらない。
【特許文献１】特開平１０−１３１６０６号公報
【発明の開示】
【発明が解決しようとする課題】
【０００３】
ドアが閉まるとき、ドアとドア枠の間にできるＶ字の隙間に指をはさみむことで大けがをすることがあり、その要望が期待されている。
【０００４】
本発明はこのような危険性を取り除くため、ドアの開放時に隙間が生ずる部分に安全フィルムを取り付けることで、ドア危険防止装置を提供することを目的としている。
【０００５】
既製のドアに取り付けるということから、両面テープやビス、プラスチック製のプレート板などを使って簡単に取り付けられなければならない。また、ドアの性能や特徴を損なわないような、自然にとけ込む形状やデザインでなければならない。
【課題を解決するための手段】
【０００６】
ドアの蝶番部分の隙間に指が入らないように、けが防止フィルムを設ける。フイルムは透明やドアの色に近い色、又は危険を喚起するような色で、軽く内側に丸くなった物を用い、ドア枠部分に両面テープとビス、プラスチック製のプレート板で簡単に固定する。これにより乳幼児がＶ字の隙間に手をはさむことなく、安心して生活を送ることができる。
【発明の効果】
【０００７】
ドアを開いたときに生じる隙間を安全フィルムによりカバーし、指がはさまれる危険を解消し、簡単で体裁良く後付けができるものである。
【発明を実施するための最良の形態】
【０００８】
以下、本発明の実施の形態として実施例を説明する。
【実施例１】
【０００９】
ドア枠に安全フイルムの端を両面テープとビス、プラスチック製のプレート板で固定する。
【実施例２】
【００１０】
ドア枠がドアに対して垂直でも平行でも取り付けられるように、安全フィルムは内側に軽く曲がっている。
【実施例３】
【００１１】
ドアを開いても閉じても安全フイルムはドアに接している。
【産業上の利用可能性】
【００１２】
本考案はドアとドア枠との隙間にできるＶ字の間に、指などをはさむ事故を防ぐものである。
【図面の簡単な説明】
【００１３】
【図１】本発明の実施の形態をドアを開いた状態で示す斜視図である。
【図２】図１の部分断面図である。
【図３】安全フイルムの拡大図である。
【符号の説明】
【００１４】
１はドア
２はドア取り付け部
３は蝶番
４は安全フィルム
５は両面テープ
６はビス
７はプラスチック製プレート板
【図１】
2007247231.tif 000003
【図２】
2007247231.tif 000004
【図３】
2007247231.tif 000005
(57)【要約】【課題】  プラスチック系のタイルシートを使うことで、湿式、乾式タイル張り施工時の施工能率を向上させるとともに、熟練した技術が無くても施工できる事を課題とする。【解決手段】  水平方向に同じピッチで凸状の目地７を形成したプラスチック系のタイルシート５であり、外壁下地１に取り付ける事によって、その上から張付けモルタル又は、張付け専用接着剤４を塗る施工において、凸状の目地７の厚みで均一に塗る事ができるとともにタイル２を張る施工においては、張付けモルタル又は、張付け専用接着剤４の中にある凸状の目地７にタイル２を乗せて張る事で横糸が無くても水平且つ綺麗に張ることができる。【選択図】図１
2007247209.tif 000002
【特許請求の範囲】
【請求項１】
プラスチック系シートの表面側に一定のピッチでタイルの横目地部分を凸状に設け、これらの凸状は水平方向の全長に形成したものであって、タイルをこれらの凸状に乗せて張付けモルタル又は、張付け専用接着剤で固定する。しかも、タイルが張付けモルタルまたは、張付け専用接着剤によって外壁下地に固定できるように、プラスチック系シートの凹状部分に穴が空いていることを特徴とするタイルシートである。
【発明の詳細な説明】
【技術分野】
【０００１】
本発明は、熟練した技術が無くてもタイルを張ることができるとともに、施工能率を向上させる事を目的としたプラスチック系のタイルシートに関する。
【背景技術】
【０００２】
建築物の外壁等へのタイルの施工は、外壁下地に張付けモルタルを塗って張り付ける湿式工法と、予め製作した専用の下地材にタイルを接着剤と合わせ引っ掛けて張る乾式工法、もしくは、外壁下地に張付け専用接着剤を塗って張り付ける乾式工法とによって行われている。
【０００３】
これらの方法の中で外壁下地に張付けモルタル又は、張付け専用接着剤を塗って張り付けるタイル施工では、タイルを水平且つ綺麗に張るために外壁下地に横糸を何本も張り、その糸に沿ってタイルを張る方法が一般的である。図４は従来から利用されている方法を示す施工例図である。
【０００４】
図示のように、外壁下地１に横糸３を水平方向に張る。次に外壁下地１に張付けモルタル又は、張付け専用接着剤４を塗り、その上にタイル２を横糸３に沿って張り付ける方法が施工の基本である。
【発明の開示】
【発明が解決しようとする課題】
【０００５】
ところで、この工法は張付けモルタル又は、張付け専用接着剤を均一に塗ることや、タイルを糸に沿って綺麗に張るといった熟練した技術を必要とするため、施工に時間がかかることは以前からの課題であった。
【０００６】
そこで本発明は、張付けモルタル又は、張付け専用接着剤を塗ってタイルを張る施工時の施工能率を向上させるとともに、熟練した技術が無くても施工できる事を目的としたプラスチック系のタイルシートである。
【課題を解決するための手段】
【０００７】
上記の目的を達成するために、本発明は水平方向に同じピッチで凸状の目地を形成したプラスチック系のタイルシートであり、外壁下地に取り付ける事によって、その上から張付けモルタル又は、張付け専用接着剤を塗る施工において、凸状の目地の厚みで均一に塗る事ができるとともにタイルを張る施工においては、張付けモルタルの中にある凸状の目地にタイルを乗せて張る事で横糸が無くても水平且つ綺麗に張ることができる。
【発明の効果】
【０００８】
本発明では、従来の工法に対しての施工能率が悪くなる原因は、張付けモルタル又は、張付け専用接着剤を均一に塗ることと、タイルを横糸に沿って張ることにあると考えた。そこで水平方向に同じピッチで凸状の目地を形成したプラスチック系のシートを、外壁下地に取り付けることにより、凸状の目地の厚みで均一に塗る事ができるとともにタイルを水平且つ綺麗に張ることができる。これらは、湿式、乾式工法において熟練した技術が無くても施工能率を向上させることが出来ることとなる。
【発明を実施するための最良の形態】
【０００９】
以下、本発明の実施の形態を図１〜図４に基づいて説明する。
【００１０】
図１においては、図３のタイルシート５を用いた施工例であり外壁下地１にタイルシート５を釘又はビス６で取り付ける。その上に張付けモルタル又は、張付け専用接着剤４をタイルシート５の表面に形成した凸状の目地７の厚みで塗り、タイル２を張付けモルタル又は、張付け専用接着剤４の中にある凸状の目地７に載せて貼り付ける。
【００１１】
図２においては、本発明に関する湿式、乾式工法の最も重要な要因であるタイルシート５の斜視図であり、凹状部分の穴８を空ける事により、タイルが張付けモルタル又は、張付け専用接着剤４によって外壁下地に固定される。
【００１２】
図３においては、本発明に関する湿式、乾式工法の最も重要な要因であるタイルシート５の縦断面図であり、凸状の高さ９はタイルを張り付けるために最適な厚み３mm〜5mm程度とし、凹状１０の幅は60mmタイル２が容易におさまる様に65mm程度とする。また、凸状の幅１１は5mm程度とする。
【００１３】
図４においては、従来から利用されている湿式、乾式工法を示す施工例図であり外壁下地１に横糸３を水平方向に張る。次に外壁下地１に張付けモルタル又は、張付け専用接着剤４を均一に塗り、その上にタイル２を横糸３に沿って張り付ける。
【図面の簡単な説明】
【００１４】
【図１】本発明に関するタイルシートの施工例図
【図２】本発明に関するタイルシートの斜視図
【図３】本発明に関するタイルシートの縦断面図
【図４】従来の湿式、乾式工法によるタイル張り付けの施工例図
【符号の説明】
【００１５】
１外壁下地
２タイル
３横糸
４張付けモルタル又は、張付け専用接着剤
５タイルシート
６釘又はビス
７凸状の目地
８凹状部分の穴
９凸状部分の高さ
１０凹状部分
１１凸状部分の幅
【図１】
2007247209.tif 000003
【図２】
2007247209.tif 000004
【図３】
2007247209.tif 000005
【図４】
2007247209.tif 000006
(57)【要約】      （修正有）【課題】落雪を防止し安全で操作容易な雪おろし機を提供する。【解決手段】本発明は屋根上の勾配下端部に設置し、この位置に平行な本体フレーム３の骨組みの中に１本以上のスクリューコンベア１を設置し、屋根にそって滑り落ちる雪を止め、かつ、スクリューコンベアの捻じれを利用し中に入った雪を屋根の端部まで平行移動して排雪することにより雪おろしが可能になる。スクリューコンベアを稼動するのに電動機４等の動力をつかい屋内でリモートコントロール出来るようにした。【選択図】図１
2007247288.tif 000002
【特許請求の範囲】
【請求項１】
屋根上の勾配下端部に設置し、スクリューコンベア機構で排雪することを特徴とする落雪防止雪おろし機。
【発明の詳細な説明】
【技術分野】
【０００１】
本発明は屋根に積もった雪がすべり落ちるのを防止する安全確保と誰にも容易に作業できる雪おろし機に関する．
【背景技術】
【０００２】
屋根等の高所の除雪作業に関する先行文献として、特許文献１の除雪用アタッチメントを備えた油圧ショベルがあり、油圧ショベルのアームの先端部に雪を掻くための装置を持ち備えたものである。
【０００３】
しかし、これらを操作するためのオペレーターが必要で技術的に誰もが出来るものでなく、非常に難しい作業である。
【０００４】
【特許文献１】特開２００５−３３６８９８公報
【発明の開示】
【発明が解決しようとする課題】
【０００５】
本発明は屋根に積もった雪がすべり落ちるのを防ぎ適時に老人はもとより女性でも雪おろし作業を安全かつ容易に出来る機能を持ち、雪の重みで生じる家屋の崩壊を防止する、落雪防止雪おろし機を提供することである。
【課題を解決するための手段】
【０００６】
本発明は屋根状の勾配下端部に平行した骨組みの中に１本以上のスクリューコンベアを設置し屋根の勾配にそってすべり落ちる雪の流れを止める、一方中に入った雪はスクリューコンベアの捻じれを利用し屋根の端部まで平行移動し屋根より突き出た部分で排雪すれば雪おろしが容易に排雪量と方向を適時に選択することが出来、動力としてモーター等を利用し屋内でリモートコントロールできるようにすれば老人、女性でも雪おろし作業が容易に可能となった落雪防止雪おろし機である。
【０００７】
又屋根より突き出た部分は、そのままでも良いが、好ましくは排雪方向を選択できる反転
可能な排雪シュートがあれば良い。
【発明の効果】
【０００８】
本発明の落雪防止雪おろし機は、落雪を防止するばかりでなく、老人や女性でも安全容易に適時を選んで雪おろし作業が可能になったこと、雪の重みで生じる家屋の崩壊を防ぐことが可能になったことである。
【発明を実施するための最良の形態】
【０００９】
以下、実施の形態を図面によって説明する。
【００１０】
本発明の実施の形態を図１、図２、図３、図４、図５、に示す。
１は、スクリューコンベアで、この両端は軸受けで８の、中間軸受けと組み合わせて水平に保持される。
スクリューコンベアの本数が上記図では２本設置したときの状態を示したものであるが、積雪量に応じて本数を増加することもできる。
２は、雪止め板で、雪が屋根の勾配にそってすべり落ちるのを止める。
３は、本体フレームで本発明を構成する１、２、３、４、５、６、７、８、を支持固定する。
４は、電動機（ギヤードモータ−）。
５は、取り付け板で、本体を屋根に固定する板。
６は、排雪シュートで、排雪方向を選択できる。
７は、氷点下の時でも凍結しないようにスロー回転する時の凍結防止用小型電動機（ギヤードモーター）。
８は、中間軸受け。
【００１１】
一般に屋根は、トタン屋根の勾配は２０度前後、瓦屋根の勾配は３０度前後で、それぞれ雪国では雪の流れ止めがついているのが一般的だが、本発明の敷設の場合は流れ止めを取り外すのが効果的である。
【００１２】
又、瓦屋根の場合は、雪がすべり易くなるよう冬季だけでも合成樹脂のシートを敷くのも一つの方法である。
【図面の簡単な説明】
【００１３】
【図１】は、落雪防止雪おろし機の斜視図
【図２】は、落雪防止雪おろし機の平面図
【図３】は、落雪防止雪おろし機の側面図
【図４】は、落雪防止雪おろし機駆動部詳細の平面図
【図５】は、落雪防止雪おろし機駆動部詳細の側面図
【符号の説明】
【００１４】
１は、スクリューコンベア
２は、雪止め板
３は、本体フレーム
４は、電動機（ギヤードモーター）
５は、取り付け板
６は、排雪シュート
７は、凍結防止用小型モーター
８は、中間軸受け
Ａは、屋根上の傾斜面
Ｒは、排雪方向選択角度
【図１】
2007247288.tif 000003
【図２】
2007247288.tif 000004
【図３】
2007247288.tif 000005
【図４】
2007247288.tif 000006
【図５】
2007247288.tif 000007
(57)【要約】      （修正有）【課題】断熱効果を高め省エネルギ効果を発揮する２重膜を提供する。【解決手段】２枚の膜布１，２をつなぎ膜３でつないだ２重膜布５、あるいは、複層シートを通風性のある部材にてつなぎ合わせ滞空することで外気等との断熱性を高めて部材として基材に貼り付けて断熱利用するだけではなく、夏期にはその暖気を外部蓄熱しつつ送風ポンプ４で通風し熱蓄熱６で蓄熱し熱エネルギに変換する。【選択図】図１
2007247368.tif 000002
【特許請求の範囲】
【請求項１】
本件は、テント等の膜布を薄厚の２重構造としてそれぞれを通風性のある膜にてつなぎ合わせ、その間を通風、滞空、滞留させて断熱効果を高めた、２重膜布である。
【請求項２】
本膜布を利用して、省エネルギーに利用するため、通風気を熱エネルギーへ変換するシステム工法として熱循環及び蓄熱するシステム工法である。
【発明の詳細な説明】
【技術分野】
【０００１】  本件は、テント、空気膜工法構造物等に利用して、断熱効果を高め省エネルギー効果を求めた２重膜である。【０００２】  本膜布は、２枚の膜布あるいは複層シートを通風性のある材にてつなぎ合わせ、その間を通風あるいは滞留、滞空することで外気等との断熱性を高めて、部材としてまたは基材に貼り付けて断熱するだけでなく、夏季には暖気を外部蓄熱して省エネルギー効果を持たせた膜布である。【０００３】  本膜布の構造、形状の説明は、図面１によります。【０００４】  本膜布を利用して、簡易な省エネルギー対策として、熱エネルギーを利用して蓄熱あるいは循環を行うことで省エネルギーが出来る。【０００５】  本膜布利用の熱循環システムの説明は、図面２、図面３によります。【０００６】  本膜布は、素材を柔軟なもので作製する事で、温室等他の利用が可能である。
【背景技術】
【０００７】  テントや空気膜構造は、今後構造の簡単さもあり工作物として利用が期待される。
【発明が解決しようとする課題】
【０００８】  テントや空気膜構造として利用する場合、膜よりの熱損失は大きいことが問題となる。本膜布を使用することで、少しでも断熱効果があがれば省エネルギーとなり、経済的に効果が期待できる。
【課題を解決するための最良の形態】
【０００９】  詳しい構造及び形態の説明は、図１、図２、図３によります．
【産業上の利用可能性】
【００１０】  素材や利用方法を工夫することで、遮熱シート等としての利用も考えられる。
【図面の簡単な説明】
【００１１】
【図１】  ２重膜布説明
【図２】  システム概略説明図
【図３】  省エネルギーシステム説明図  図１  蓄熱プール利用  図２  ビル等利用案
【符号の説明】
【００１２】      １．    第１膜
２．    第２膜
３．    つなぎ膜
４．    送風ポンプ
５．    ２重膜布
６．    熱蓄熱
７．    送風機
８．    エアコン等
９．    受光面（熱吸収素材）
１０．  蓄熱層（蓄熱材）
１１    熱変換パイプ等
１２．  送風循環機
【図１】
2007247368.tif 000003
【図２】
2007247368.tif 000004
【図３】
2007247368.tif 000005
(57)【要約】【課題】本発明は、排水溝の形状によりシンクの使用有効面積をあまり小さくすることなく排水口の大きさを適切に選択することができ、且つ、排水溝内において中央部方向（排水口方向）への排水の流れが排水溝の形状により生じる水位の差によりスムースにおこなえるシンクの構造を提供することをその課題とするものである。【解決手段】シンク１の底部２が手前側より奥側７にむかって奥壁面８に至る下方へ傾斜する傾斜面９を有し、該傾斜面９には奥壁面８基部に沿い中央部に向かう徐々に底部の拡開した排水溝３を形成すると共に排水溝３の拡開部４に凹陥部１０を形成し、凹陥部１０に排水口５を形成してなることを特徴とするものである。【選択図】図１
2007247351.tif 000002
【特許請求の範囲】
【請求項１】
シンク底部が手前側より奥側にむかって奥壁面に至る下方へ傾斜する傾斜面を有し、該傾斜面には奥壁面基部に沿い中央部に向かう徐々に底部の拡開した排水溝を形成すると共に排水溝の拡開部に凹陥部を形成し、凹陥部に排水口を形成してなるシンクの構造。
【発明の詳細な説明】
【技術分野】
【０００１】
本発明は、シンク底部が手前側より奥側にむかって奥壁面に至る下方へ傾斜する傾斜面を有し、該傾斜面には奥壁面基部に沿い中央部に向かう徐々に底部の拡開した排水溝を形成すると共に排水溝の拡開部に凹陥部を形成し、凹陥部に排水口を形成してなるシンクの構造に関するもので、排水が効率よく行われるものである。
【背景技術】
【０００２】
従来から、シンク底部が手前側より奥側にむかって奥壁面に至る下方へ傾斜する傾斜面を有するシンクの構造は知られており、更に、シンク底部周縁に排水溝を形成したシンクの構造も知られている（特許文献１）。この従来のシンクの構造は、シンクを使用した際に生じる水をシンク底部から周縁の排水溝に流下させ、シンクを継続して快適に使用できるようにしたものである。
【０００３】
しかしながら、この従来のシンクの構造ではシンク底部周縁に排水溝を形成し、排水溝に排水口を形成しただけであるために、瞬間的に排水量が多くなったとき排水溝の水位が高くなって排水口が水没した状態になり排水効率が悪化しさらに排水溝の水位が高くなる悪循環に陥ることがあり、シンク底部の水が排水されないことがあった。また、この問題点を解決するために排水溝の幅を広くすることが考えられるが、排水溝の幅を広くするとシンク底部の使用有効面積が狭くなる欠点があった。
【特許文献１】実開昭５３−９６４５６号公報、（図１、図３）
【発明の開示】
【発明が解決しようとする課題】
【０００４】
上記従来のシンクの構造では、シンクの大きさから必要とされる排水溝の大きさと排水溝に設ける排水口の大きさに対する検討が十分なされたものでなく、又シンクで使用される水の量の多少に対する検討も十分でないものであった。本発明はシンクの使用有効面積をあまり小さくすることなく排水口の大きさを大きくすることができ、且つ、排水がスムースにおこなえるシンクの構造を提供することをその課題とするものである。
【課題を解決するための手段】
【０００５】
上記課題を解決するために、本発明に係るシンクの構造は、請求項１に記載した如く、シンク底部が手前側より奥側にむかって奥壁面に至る下方へ傾斜する傾斜面を有し、該傾斜面には奥壁面基部に沿い中央部に向かう徐々に底部の拡開した排水溝を形成すると共に排水溝の拡開部に凹陥部を形成し、凹陥部に排水口を形成してなることを特徴とするものである。
【発明の効果】
【０００６】
請求項１に記載のシンクの構造は、シンク底部が手前側より奥側にむかって奥壁面に至る下方へ傾斜する傾斜面を有し、該傾斜面には奥壁面基部に沿い中央部に向かう徐々に底部の拡開した排水溝を形成すると共に排水溝の拡開部に凹陥部を形成し、凹陥部に排水口を形成してなるために、排水溝の拡開部は広くされているために排水口はシンクの大きさに適した大きさの排水口を設置することができるものである。
【０００７】
又、排水溝は奥壁面基部に沿い中央部に向かう徐々に底部の拡開した形状であるために、排水溝の水は中央部方向（排水口方向）に流れやすいものである。即ち、排水溝は幅が狭い部分では幅が広い部分に比べ同じ水量でも水位が高くなり、このために水位が高い方から水位が低い方へ水が流れ、特に勾配を形成することなく水は拡開部へ流れる。拡開部へ流れた水は水位を下げ排水口周囲より排水口内へ流れ込むために、水位が高い状態でも排水口が水没状態になる恐れが少なく排水がスムースに行われる。
【発明を実施するための最良の形態】
【０００８】
以下、本発明の実施形態について図面を参照して、詳細に説明する。図１は本発明におけるシンクを示す平面図、図２は図１におけるＡ−Ａ断面図、図３は図１におけるＢ−Ｂ断面図である。図１において、１はシンク、２は底部、３は排水溝、４は拡開部、５は排水口である。
【０００９】
シンク１はカラン（図示せず）が設置され、食器を洗ったり、野菜を洗ったりする洗い場である。底部２は手前側６より奥側７に向かって奥壁面８に至る下方へ傾斜する傾斜面９を有している。この傾斜面９はシンク１を使用した際に生じた水を奥壁面８方向に流下させるもので、この傾斜面９には奥壁面８基部に沿って中央部に向かう徐々に底部の拡開した排水溝３が形成されている。
【００１０】
図２に示す如く、拡開部４は奥壁面８基部に沿って中央部に向かう徐々に底部の拡開した排水溝３の最大に拡開した部分を示すもので、中央部に位置するものである。この拡開部４には凹陥部１０が形成され、凹陥部１０には排水口５が形成されている。排水溝３は奥壁面８基部に沿って形成されており、両側壁１１，１１側から中央部に向かう徐々に底部の拡開したものである。
【００１１】
図３は側壁１１に近い部分の排水溝３を示している。シンク１を使用した際の水の流れを説明すると、使用により生じた水は底部２の傾斜面９により奥壁面８方向に流下し排水溝３に入る。排水溝３は両側壁１１，１１に近い部分では溝幅が狭いため水量が少なくても水位はすぐに上昇し、中央部に近い所では排水溝３の溝幅が拡開して広いため水位の上昇は小さく、両側壁１１，１１に近い部分と中央部に近い所との間では水位差が生じ、特に勾配を大きくすることなく水は排水溝３内を中央部方向へ流れる。
【００１２】
排水溝３の拡開部４には凹陥部１０が形成され、凹陥部１０には排水口５が形成されているため、水は周囲より排水口５に流下する。排水口５は拡開部４に設けられるために適切な大きさ（排水量）を選択することができる。尚、排水口５のゴミよけ蓋は凹陥部１０の段部に係止すれば良い。
【図面の簡単な説明】
【００１３】
【図１】本発明におけるシンクの構造の平面図。
【図２】図１の実施例のＡ−Ａ断面図。
【図３】図１の実施例のＢ−Ｂ断面図。
【符号の説明】
【００１４】
１            シンク
２            底部
３            排水溝
４            拡開部
５            排水口
６            手前側
７            奥側
８            奥壁面
９            傾斜面
１０          凹陥部
１１          側壁
【図１】
2007247351.tif 000003
【図２】
2007247351.tif 000004
【図３】
2007247351.tif 000005
(57)【要約】【課題】  本発明は、塗膜形成型の塗装を施さずに、外部から基板内部に対する止水性を向上させ、基板の素地感を活かしたサイディングを実現するものである。【解決手段】  サイディングの基板に、浸透性の保護剤を含浸させることにより、外部から基板内部に対する止水性を向上させる。それにより、従来一般的である止水性のある塗膜形成型の塗装を施さずに、基板の素地感を活かしたサイディングを実現する。【選択図】図１
2007247376.tif 000002
【特許請求の範囲】
【請求項１】
窯業系サイディングの基板に非塗膜形成型の保護剤を含浸させることにより、塗膜形成型の塗装を施すことなく、外壁材として十分な止水性能と耐久性能を有するサイディング。
【発明の詳細な説明】
【技術分野】
【０００１】  本発明は、窯業系サイディングに関するものである。
【背景技術】
【０００２】  従来より、窯業系サイディングは、不燃材であること、価格が安定しているといった利点から、多くの建物の外壁に使用されている。【０００３】  しかし、多くの窯業系サイディングの基板は吸水性があり、吸水すると基板の耐久性が低下するという欠点がある。そのため、止水性のある塗膜形成型の塗装を施して使用するのが一般的であり、一部のサイディングを除いて基板の素地感を活かして使用することは困難である。
【発明の開示】
【発明が解決しようとする課題】
【０００４】  本発明は、塗膜形成型の塗装を施さずに、外部から基板内部に対する止水性を向上させ、基板の素地感を活かしたサイディングを実現するものである。
【課題を解決するための手段】
【０００５】  サイディングの基板に、浸透性の保護剤を含浸させることにより、外部から基板内部に対する止水性を向上させる。それにより、従来一般的である止水性のある塗膜形成型の塗装を施さずに、基板の素地感を活かしたサイディングを実現する。
【発明の効果】
【０００６】  本発明の素地感サイディングは、上述のような手段によって止水性のある塗膜形成型の塗裝を施さずに使うことが出来る。それにより、サイディングの基板の素地感を表すことが可能となり、より意匠性の高い外壁を造ることが出来る。
【発明を実施するための最良の形態】
【０００７】  成形したサイディングの基板に浸透性反応型無機質保護剤を図１のように塗布し含浸させる。これにより、外部から基材内部に対しての止水性を向上させ基板の吸水を防ぎ、基板の耐久性の低下を防止し、さらに、外部から室内側に対する止水性も向上する。【０００８】  それにより、従来一般的である止水性のある塗膜塗膜形成型の塗装を施さない、基板の素地感を活かしたサイディングを実現することができる。
【産業上の利用可能性】
【０００９】  従来の一般的なサイディングのように、人為的に作られた凹凸や塗装の表面模様ではなく、サイディングの基板の素地感を活かすことにより、意匠性の高い外壁材として様々な建築に利用することが出来る。
【図面の簡単な説明】
【００１０】
【図１】  サイディングの断面図（保護剤の含浸状況を示す）
【図２】  サイディングの正面図（外部側から）
【符号の説明】
【００１１】  ▲１▼  サイディングの基板
▲２▼  サイディングの基板のうち保護剤を含浸した層
【図１】
2007247376.tif 000003
【図２】
2007247376.tif 000004
(57)【要約】【課題】  本発明は、基板そのものを吸水性の小さいものにし、塗膜形成型の塗装を施さず、基板の素地を活かしたサイディングを実現するものである。【解決手段】  吸水性の小さい繊維強化セメント板（フレキシブル板）をサイディングの基板とすることにより、従来一般的である止水性のある塗膜形成型の塗装をしないで、基板の素地を活かしたサイディングを実現する。【選択図】図１
2007247375.tif 000002
【特許請求の範囲】
【請求項１】
繊維強化セメント板（フレキシブル板）を基板とするサイディング。
【発明の詳細な説明】
【技術分野】
【０００１】  本発明は、窯業系サイディングに関するものである。
【背景技術】
【０００２】  従来より、窯業系サイディングは、不燃材であること、価格が安定しているといった利点から、多くの建物の外壁に使用されている。【０００３】  しかし、多くの窯業系サイディングの基板は吸水性があり、吸水すると基板の耐久性が落ちるという欠点がある。そのため、止水性のある塗膜形成型の塗装を施して使用するのが一般的であり、一部のサイディングを除いて基板の素地感を活かして使用することは困難であった。
【発明の開示】
【発明が解決しようとする課題】
【０００４】  本発明は、基板そのものを吸水性の小さいものにし、塗膜形成型の塗装を施さず、基板の素地を活かしたサイディングを実現するものである。
【課題を解決するための手段】
【０００５】  吸水性の小さい繊維強化セメント板（フレキシブル板）をサイディングの基板とすることにより、従来一般的である止水性のある塗膜形成型の塗装をしないで、基板の素地を活かしたサイディングを実現する。
【発明の効果】
【０００６】  本発明のフレキシブル板サイディングは、サイディングの基材を繊維強化セメント板（フレキシブル板）にすることによって、止水性のある塗膜形成型の塗装を施さずに使うことが出来る。それにより、サイディングの基板の素地を表すことが可能となり、より意匠性の高い外壁を造ることが出来る。
【発明を実施するための最良の形態】
【０００７】  繊維強化セメント板（フレキシブル板）の端部を図１の▲２▼ような形状に、板成形時に同時成形する、もしくは成形後にルーター等を用いて削って加工する。図１の▲２▼の形状は、従来の窯業系サイディングで多く採用されている相じゃくり形状である。これにより、繊維強化セメント板（フレキシブル板）を、従来の窯業系サイディングと同様の施工効率のよい施工方法で施工することができる。【０００８】  よって、従来一般的である止水性のある塗膜塗膜形成型の塗装を施さない、基板の素地を活かしたサイディングを実現することができる。
【産業上の利用可能性】
【０００９】  従来の一般的なサイディングのように、表面の人為的に作られた凹凸や塗装の模様ではなく、サイディングの基板の素地を活かすことにより、意匠性の高い外壁材として様々な建築に利用することが出来る。
【図面の簡単な説明】
【００１０】
【図１】  サイディングの断面図（端部の加工を示す）
【図２】  サイディングの正面図（外部側から）
【符号の説明】
【００１１】  ▲１▼  サイディングの基板
▲２▼  サイディングの端部（相じゃくり形状）
【図１】
2007247375.tif 000003
【図２】
2007247375.tif 000004
(57)【要約】【課題】  従来のお湯を流しきる融雪方法では、一般には普及しませんでした、帯状の電熱パネルヒーターを取り付ける事により除雪作業が楽になります。【解決手段】  屋根の雪は、３分の２が「ぬき」と垂れ下がった雪の重みと云われます、この３分の２を無くすることにより家屋の破壊、屋根の破損を防げます。【選択図】図１
2007247371.tif 000002
【特許請求の範囲】
【請求項１】
家屋の屋根に電熱パネルヒーターを取り付けることを特徴とする融雪装置取り付け施工方法。
【請求項２】
前記電熱パネルヒーターを「ぬき」のところに帯状に取り付けることを特徴とする請求項１記載の融雪装置取り付け施工方法。
【発明の詳細な説明】
【技術分野】
【０００１】  この発明は、屋根の雪の重量が多く掛かる「ぬき」の部分に融雪装置取り付け施工方法に関する。
【背景技術】
【０００２】  従来の融雪装置は、屋根の「はり」の部分から、お湯（温泉水）を流して雪を溶かして居りました。
【発明の開示】
【発明が解決しようとする課題】
【０００３】  しかしながら、以上の技術によれば、お湯を一冬流し切ることは、一般の家庭では出来ないため、人力で雪降ろしをしているのが現状です。
そこで、この発明は、「ぬき」の部分に電熱パネルヒーターを帯状に取り付けを提供することを課題とする。
【課題を解決するための手段】
【０００４】以上の課題を解決するために、第一発明は、「ぬき」に電熱パネルヒーターを設置することを特徴とする融雪装置取り付け施工方法である。
また、第二発明は、温度は上がっても燃えない電熱パネルヒーターであることを特徴とする融雪装置取り付け施工方法である。
【発明の効果】
【０００５】  第一発明、または第二発明によれば、雪国の融雪に画期的な効果を発揮する。
【発明を実施するための最良の形態】
【０００６】  この発明の一実施形態を、図１に示す。
屋根の「ぬき」の部分に帯状の電熱パネルヒーターを取り付ける。
【実施形態の効果】
【０００７】  この実施形態によれば、常に「ぬき」の部分は、熱によって雪が解けているので氷柱の出きる事もない。
【他の実施形態】
【０００８】  図１の実施形態では、帯状の電熱パネルヒーターを取り付ける、他の実施形態では、大きさにより数や帯の太さを変えたものでも良い。
【図面の簡単な説明】
【０００９】
【図１】この発明の一実施を示す斜視図である。
【図２】従来の技術を示す斜視図である。
【符号の説明】
【００１０】  １  家屋
２  屋根本体
３  電熱パネルヒーターを帯状に設置
４  お湯を流す、穴のあいたパイプ
【図１】
2007247371.tif 000003
【図２】
2007247371.tif 000004
(57)【要約】【課題】    燃料タンクもしくは燃料供給通路内に収容することによって、燃料の改質や活性化を行い完全燃焼により近づけるため、燃焼効率の向上や排気ガスの低減を得ることができるようにする。【解決手段】    燃料の改質や活性化を行う機能を発揮するセラミックや燃料改質剤等を保持した円筒状容器２を備える。円筒状容器２は上蓋部及び下蓋部に割れ目を有し、増減可能な複数個を固定しない可動可能による連結をする。【選択図】    図１
2007247544.tif 000002
【特許請求の範囲】
【請求項１】
燃料の改質や活性化を行う機能を発揮するセラミックや燃料改質剤を保持しかつ燃料の出入りが可能な中空円筒状容器を備えていることを特徴とする燃料改質器。
【請求項２】
上記中空円筒状容器は上蓋部及び下蓋部に、割れ目を有しかつ燃料の出入りが可能な機能を有する中空円筒状容器に上記
セラミックや燃料改質剤を収容してなる請求項１に記載した燃料改質器。
【請求項３】
上記中空円筒状容器が、透孔を形成した金属板を円筒状に成形することに
よって形成されかつ円筒状に成形された上記金属板の合わせ目が上記割れ目として形成されている。更に角がなく丸みを帯びて形成されている請求項２に記載した燃料改質器。
【請求項４】
上記円筒状容器の上蓋部中央から下蓋部中央に円状取り付け具を有するワイヤーを通し、増減可能な複数個を固定しない
可動可能による連結をされている請求項２又は請求項３に記載した燃料改質器。
【発明の詳細な説明】
【技術分野】
【０００１】
本発明は燃料改質器、特に燃料タンク若しくは、給油口から燃料供給通路内側に収容することによってその燃料の改質や活性化とをおこなわせるようになっている燃料改質器に関する。
【背景技術】
【０００２】
近年の環境問題に関する取り組みは地球規模になり、限りある地球的資源に対する取り組みかたも深刻な課題になっている。そこでそれら燃料の燃焼効率の向上を図るとともに排気ガスの減少が得られことは地球的資源の節約と環境保全が出来ることを考えた。
【０００３】
従来の燃料改質方法は燃料改質剤などを直接燃料タンクに収容するものが主流であり、燃焼機関の事故の原因になることは少なくない。また、取り出し可能なものもあるが、燃料タンクや燃料供給通路に対し収容対応可能な範囲が狭く、
脱着が困難である。
【発明の開示】
【発明が解決しようとする課題】
【０００４】
従来の液体燃料改質器は円筒状ではあるが、上部及び下部が嵌合し、角を有しているため、燃料給油口からの挿入や取り出しが大変困難であり、挿入作業や取り出し作業における事故の原因であった。また、嵌合しているため燃料通過抵抗が大きく給油作業が大変困難であった。
【０００５】
本発明は以上の状況下でなされたものであり、燃料タンク内若しくは、燃料供給通路の内側に収容することにより、燃料の改質や活性化がおこり燃焼効率の向上と排気ガスの減少を得ることができる。また、燃料通過抵抗が少なく、取り付けや取り出しが簡単で製造容易な燃料改質器の提供をすることを目的としている。
【課題を解決するための手段】
【０００６】
本発明に係わる燃料改質器は、上蓋部及び下蓋部に割れ目を有する中空円筒状容器に燃料の改質と活性化を行う機能を発揮するセラミックや燃料改質剤等を保持することを備えている。この燃料改質器によれば、燃料タンク若しくは、燃料供給通路内側に収容しておくことで燃料の改質と活性化とが行われる。したがって、燃焼効率の向上と排気ガスの減少を得ることができる。
【０００７】
上記中空円筒状容器が透孔を形成した金属板を円筒状に成形することによって形成されかつ円筒状に成形された上記金属板の合わせ目が上記割れ目として形成されることが望ましい。これによれば、上記中空円筒状容器に収容された上記セラミックや燃料改質剤と燃料との接触面積を大きく確保しやすくするため燃料の改質と活性化にかかる時間が短縮されるようになる。更に燃料通過抵抗が少なくなる。また、中空円筒状容器を安価に製作することが可能である。
【発明の効果】
【０００８】
本発明に係わる燃料改質器によれば、燃料の改質やイオン化または活性化が行われ、燃焼効率を向上させ排気ガスを減少させることができる。また、該円筒状容器は胴体部に透孔を有し、上蓋部及び下蓋部は割れ目を有しているために燃料通過抵抗を大幅に少なくし、また、燃料とセラミックや燃料改質剤等の接触面積を大きく確保している。さらに、増減可能な複数個を固定しない可動可能な連結をしているため、どのような燃料供給通路にも対応できる。また、燃料の容量に応じて適宜円筒状容器数を増減させることができる。該円筒状容器は上部及び下部にも角がなく丸みを帯びているために取り付け取り外しが容易にできる。
【発明を実施するための最良の形態】
【０００９】
図１は本発明の実施形態に係わる燃料改質器の側面図、図２は中空円筒状容器の正面図、図３は平面図である。
【００１０】
図１のようにセラミックや燃料改質剤を保持している中空円筒状容器２は複数個で円状取り付け具１１を有するワイヤー１２等で可動可能な連結をされている。中空容器２は燃料の容量に応じ適宜増減できる。
【００１１】
中空円筒状容器２は、中に燃料改質や活性化を行う機能を発揮するセラミックや燃料改質剤を装填して保持させてなる。
孔を有する円筒状に成形された金属板の上蓋部及び下蓋部の爪の合わせ目が割れ目２２として形成されている。
２１は中空円筒状容器２の複数箇所に開設された透孔、２３は中空円筒状容器２の上下蓋部の各開口を塞いでいる爪片であり、これらの爪片２３は上記金属板に連接されている。
【００１２】
中空円筒状容器２の上部及び下部は角がなく丸みを帯びている。燃料タンク若しくは燃料供給通路へ挿入時や取り出し時において容易に作業ができる。
【００１３】
この燃料改質器１を燃料タンク若しくは燃料供給通路等に収容させておくと
その燃料の改質やイオン化または活性化とが行われる。したがって完全燃焼により近づき、燃焼効率の向上や排気ガスの減少が起こる。
【００１４】
中空容器２に保持させておく燃料改質剤Ａ等は公知のものから適宜選択する
ことが可能である。
【図面の簡単な説明】
【００１５】
【図１】本発明の燃料改質器の実施の形態に係わる側面図である。
【図２】中空円筒状容器の正面図である。
【図３】中空円筒状容器の拡大平面図である。
【符号の説明】
【００１６】
１・・・・・・・燃料改質器
２・・・・・・・中空円筒状容器
１１・・・・・円状取り付け具
１２・・・・・ワイヤー
２１・・・・・透孔
２２・・・・・割れ目
２３・・・・・爪片
Ａ・・・・・・・燃料改質剤
【図１】
2007247544.tif 000003
【図２】
2007247544.tif 000004
【図３】
2007247544.tif 000005
(57)【要約】【課題】車両の燃料気化の単純な内燃機関の燃焼効率と収率を増大させる。【解決手段】吸入菅（６）につながるアダプター部分（５）又は該管（６）へ直接接続されるＴ字管（１）が設けられ、ヘッドに熱空気が存在し、それはエンジン・クランクケースに相互に連通し、またエンジンに吸引され、吸入菅（６）の空気をさらに加熱すらし、エンジン効率を向上させる。【選択図】図１
2007247642.tif 000002
【特許請求の範囲】
【請求項１】
ヘッドカバー（３）からの導管（２）途中に設けられるＴ字管（１）であって、絶縁又は非絶縁管（４）が接続され、それは中間部（５）に接続されるか又はエンジン吸入菅（６）に直接開口することを特徴とする吸気加熱器。
【請求項２】
管（４）は、ヘッド・ブリーザー（２）を中間部（５）に接続するものであって、該管の接続は吸入菅（６）の軸に対して垂直ではない態様で接続され、そうして吸入管（６）を通過する際に熱を除去し、吸入菅にはラジエーターにつながる冷却水が循環されていることを特徴とする請求項１の吸気加熱器。
【請求項３】
管（４）はエンジン吸入菅（６）の壁に直接沿って開口することを特徴とする請求項１の吸気加熱器。
【発明の詳細な説明】
【技術分野】
【０００１】
本発明の目的は、車両分野に属する吸気加熱器に関し、燃料気化のための簡単なシステムを提供し、この方法によれば、内燃機関の効率と収率を向上させる。
【背景技術】
【０００２】
技術常識によると、内燃機関はシリンダー内で燃料蒸気と空気の混合気を燃焼させる。この混合気が燃焼すると熱い気体が生成し、それは直ちに膨張して内燃機関部品を押すことにより動力が発生する。
【発明の開示】
【発明が解決しようとする課題】
【０００３】
しかしながら、現在使用されるエンジンでは燃料の一部が気化しないという事実から燃焼効率は完全ではなく、それ故、燃料は全て燃焼することがなく、これはＮＯＸを発生させて、排気系統に煤を残留させ、また空気中へこれを排出し、そうして環境を汚染することになる。
【課題を解決するための手段】
【０００４】
このような課題を解決するため、本願の吸気加熱器が提供されるのが本願の目的であり、それはＴ字管からなって、アダプターからの絶縁又は非絶縁菅に接続されて、吸入菅へまたはそれに直接につながり、ヘッド中に熱気体を存在させ、それはエンジンのクランクケースに相互に連通し、またエンジンによって吸引され、吸入菅内の空気をさらに加熱させる。
【発明の効果】
【０００５】
このような構造の採用により、過流となる空気の動きが存在することになり、それは、ヘッドのガスからの熱を使用することに加えて、吸入菅回りの水からの熱を除去し、管内で、空気の周辺速度を増加させることにより効率が向上される。この加熱は燃焼収率を向上させ、注入燃料の気化を改善し、より迅速で効率の良い燃焼となる。この改善は、燃料をさらにガス化させることだけではなく、そして主に、燃焼の間に過流を増大させて、その結果大気中への汚染物の放出を有意に軽減する結果になる。
【発明を実施するための最良の形態】
【０００６】
本発明のより良い理解のために、本発明は以下の添付の図面を利用して説明される。
図1は、本発明の使用される組み立てられた一式の装置を示す。
図２は、スロットルボディの後に接続される部分の上面図を示す。
図３は、スロットルボディの直後の吸入菅に直接に接続される、別の構造の上面図を示す。
【０００７】
上記図面を参照して、本発明の吸気加熱器は、ヘッドカバー（３）につながる導管（２）が接続するＴ字管（１）が設けられ、該Ｔ字管の一方は、絶縁又は非絶縁管（４）が接続され、そして残りはエンジンの吸入菅（６）への中間部（５）又は、埋め込まれて吸入菅（６）へ直接に接続される。
【０００８】
エンジンでの導管（２）、これはヘッド・ブリーザーに相当するものであり、それはヘッドカバー（３）を導管（７）に接続するもので、導管（７）の一端はエンジンにチャージされる空気のフィルター箱に接続され、導管（７）はフィルターで清浄化された空気をスロットル・ボディ（９）に送気し、ここで、スロットル・ボディ（９）には中間部（５）（アダプター）が設けられ得る。管（４）は、ヘッド・ブリーザー（２）をエンジンの吸気菅（６）に接続するもので、スロットルボディー（９）の後の部分に接続することが可能であり、吸気管（６）の軸に垂直ではなくてずれており、そうして吸気管内の壁に過流を起こさせるようになっており、その結果吸気管（６）を通過する際に熱が除去されやすくなり、ここで当該箇所には冷却水が循環されて、ラジエーターにつながる。このようにして、ヘッドに存在した熱空気はエンジンに吸引されて、管（４）を経由して、エンジン吸入管（６）へと移動する。管（６）への流入は、管（６）の軸に垂直ではなくずれているために、そして、その垂直でなくずれている様子は添付の図２と図３に示されているが、過流が発生し、それによりヘッドからのガスの有する熱を利用し、吸入管回りの水から熱を除去し、エンジン効率を向上させる。
【０００９】
添付の図は、好ましい態様として示しており、本願の構造を制限するものではなく、本発明の範囲を逸脱することなく、変形が可能であり、よりエンジン燃焼効率と収率の良いエンジン吸気加熱か可能である。
【図面の簡単な説明】
【００１０】
【図１】本発明の使用される組み立てられた一式の装置を示す。
【図２】スロットルボディの後に接続される部分の上面断面図を示す。
【図３】スロットルボディの直後の吸入菅に直接に接続される、別の構造の上面断面図を示す。
【符号の説明】
【００１１】
（１）  Ｔ字管
（２）  導管
（３）  ヘッドカバー
（４）  絶縁又は非絶縁管
（５）  中間部
（６）  エンジンの吸入菅
【図１】
2007247642.tif 000003
【図２】
2007247642.tif 000004
【図３】
2007247642.tif 000005